(57)【要約】      （修正有）【課題】屋根や壁面の放射性物質類の除染作業が簡易に行え、事後処理も容易な放射性物質吸着剤シートを提供する。【解決手段】放射性物質類吸着剤層２と粘着剤層３を一枚のシートに形成することによって、屋根や壁面に簡易に貼着することができる。また、粘着層により屋根や壁面に貼着した放射性物質除染シートを剥離することで、屋根や壁面からの放射性物質類の除染作業を簡易に行うことができる。【選択図】図１
0003183309.tif 000002
【実用新案登録請求の範囲】
【請求項１】
基材シートの表面は、放射性物質類吸着組成剤からなる放射性物質類吸着層が貼着されてなり、
基材シートの裏面は、粘着剤層が形成された粘着テープと、この粘着テープの一面に剥離可能に貼着された剥離紙とを具備することを特徴とする屋根、壁面用放射性物質除染シート。
【請求項２】
基材シートの表面は、放射性物質類吸着組成剤からなる放射性物質類吸着層が貼着されてなり、
基材シートの裏面は、粘着剤層が形成された粘着テープと、この粘着テープの下層に貼付下地シートと、貼付下地シートの裏面は、粘着剤層が形成された粘着テープと、この粘着テープの一面に剥離可能に貼着された剥離紙とを具備することを特徴とする屋根、壁面用放射性物質除染シート。
【請求項３】
前記基材シートの表面に、放射性物質類吸着組成物を直接付着させた構造であることを特徴とする請求項１乃至２に記載の屋根、壁面用放射性物質除染シート。
【請求項４】
前記基材シートの表面が、和紙や不織布に放射性物質類吸着組成物を施した放射性物質類吸着剤層であることを特徴とする請求項１乃至２に記載の屋根、壁面用放射性物質除染シート。
【請求項５】
前記基材シートは、ポリエチレン、ポリ塩化樹脂等の素材からなり、廃棄処分についても加熱処理することで容積を縮減させることを特徴とする請求項１乃至４に記載の屋根、壁面用放射性物質除染シート。
【考案の詳細な説明】
【技術分野】
【０００１】  本考案は、放射性物質により汚染された建築物の屋根、壁面から放射性物質を除染する粘着シートに関する。
【背景技術】
【０００２】  ゼオライトや紺青等は、放射性物質を吸着する性能をも有することが知られており、東京電力福島第１原子力発電所の事故により飛散した放射性物質を吸着させるため、ゼオライト等を散布し吸着させる除染が行われている。【０００３】  また、飛散した放射性物質は建築物の屋根や壁面にも付着しているが、これらは高圧洗浄により除染することが一般的に行われている。【０００４】  高圧洗浄による屋根の除染作業では、放射性物質が再度飛散してしまうことや、放射性物質を含んだ洗浄排水の回収作業、浄化処理等の事後処理が必要である。【０００５】  また、高圧洗浄により除染した後も放射性物質が屋根に再付着していることが報告されており、定期的に簡易に放射性物質を除去できることが求められている。
【先行技術文献】
【０００６】
【特許文献】
【特許文献】特許第４９３２０５４号
【考案の概要】
【考案が解決しようとする課題】
【０００７】  本考案は、このような従来技術の問題点に鑑みてなされたものである。すなわち、建築物の屋根や壁面に付着した放射性物質を吸着する性能が高く、取り扱い性に優れ屋根や壁面に直接着脱可能で、事後処理も容易な放射性物質吸着剤シートを提供することを目的とする。【０００８】  なお、特許文献１では、放射性物質類吸着剤組成物、吸着剤及びその施工方法が公開されているが、本件とは、構成がまったくことなっている。
【課題を解決するための手段】
【０００９】  本考案の放射性物質除染シートは、基材シートの表面が放射性物質を吸着するための放射性物質吸着組成物からなり、基材シートの裏面は、この吸着組成物を屋根、壁面に貼り付ける粘着剤層と、この粘着剤層に剥離可能に貼着された剥離紙により構成される。【００１０】  本考案の放射性物質除染シートは、基材シート表面に放射性物質類吸着組成物を直接付着させるほか、和紙や不織布に放射性物質類吸着組成物を施した放射性物質類吸着剤層を基材シート状とすることができ、複雑な形状を持つ屋根、壁面に直接貼り付けることが可能な柔軟性があり、放射性物質除染シート自体の張り替えも可能なものである。【００１１】  本考案の放射性物質類吸着組成物には、ゼオライト、紺青、珪藻土、活性炭、活性白土、活性アルミナ、シリカゲル、モレキュラシーブ等の無機質系多孔質材料のほか、その他有機質の吸着剤を使用することができる。
【考案の効果】
【００１２】  本考案の放射性物質除染シートによれば、放射性物質吸着剤層が屋根や壁面に付着する放射性物質を吸着する。また、高圧洗浄作業では発生する放射能物質類の飛散を防ぐことができ、高圧洗浄では必要となる放射性物質を含んだ汚染水の事後処理作業も不要となる。【００１３】  さらに、高圧洗浄では、洗浄後に放射性物質が新たに屋根や壁面に付着した場合、再度洗浄することが必要となるが、本考案の放射性物質除染シートによれば、屋根や壁面に付着する可能性のある放射性物質は、放射性物質除染シートの放射性物質吸着剤層が吸着することから、放射性物質除染シートの張り替えのみの簡易な作業で対応することができる。
【図面の簡単な説明】
【００１４】
【図１】本考案の一実施の形態に係る初回貼付用放射性物質除染シートの拡大断面図である。
【図２】本考案の一実施の形態に係るは張替用放射性物質除染シートの拡大断面図である。
【図３】本考案の一実施の形態に係る放射性物質除染シートがロール状となった図である。
【図４】本考案の一実施の形態に係る放射性物質除染シートの貼着作業時の状態
【考案を実施するための形態】
【００１５】  本考案は、放射性物質類吸着剤層と粘着剤層を一枚のシートに形成することによって、屋根や壁面に簡易に貼着することができる。また、粘着剤層により屋根や壁面に貼着した放射性物質除染シートを剥離することで、屋根や壁面からの放射性物質類の除染作業を簡易に行うことができる。
【実施例】
【００１６】  以下、本考案実施の形態について、図面を参照して詳細に説明する。【００１７】  なお、本考案の実施の形態で示すシートの外形形状等は、下記に述べる実施の形態に特に限定されるものでなく、本考案の技術的思想の創作の範囲で任意に変更することができる。【００１８】  図１は、本考案の一実施の形態に係る放射性物質除染シートの拡大断面図である。最初に屋根や壁面に貼付する放射性物質除染シートは図１に示すように、放射性物質除染シート本体は、基材シート１と、放射性物質類吸着剤層２と、粘着材層３と、貼付下地シート５と、粘着材層３に剥離可能に貼着された剥離紙４とを具備する。【００１９】  図２は、本考案の一実施の形態に係る張替用放射性物質除染シートの図である。図２に示すように、張替用放射性物質除染シート本体は、基材シート１と、放射性物質類吸着剤層２と、粘着材層３と、この粘着材層３に剥離可能に貼着された剥離紙４とを具備する。【００２０】  図３は、本考案の一実施の形態に係る放射性物質除染シート、張替用放射性物質除染シートがロール状となった図である。長尺の張替用放射性物質除染シート本体６は、巻き心７上に多層に巻かれてシートロール８を形成する。【００２１】  図４は、本考案の放射性物質除染シートを屋根、壁面に貼着作業時の状態である。本考案の放射性物質除染シート本体６から剥離紙４をはずしながら被着面８となる屋根、壁面に貼着することによって、放射性物質類を屋根や壁面に付着させず、放射性物質類吸着剤層２に放射性物質類を吸着させ、放射性物質除染シート本体６の簡易な張り替え作業により放射性物質類の除染を行うことができる。【００２２】  放射性物質除染シート本体６の張替作業は、図１の屋根や壁面に貼付する放射性物質除染シートの貼付下地上層の放射性物質除染シート部分を剥離する。次に貼付下地の上に張替用放射性物質除染シート本体６を貼付することで簡易な張り替え作業を行うことができる。【００２３】  また、張り替えた放射性物質除染シート本体５は、基材シート１の素材をポリエチレン、ポリ塩化樹脂等の製品を使用することで、廃棄処分についても加熱処理することで廃棄物の容積を縮減させることができる。
【符号の説明】
【００２４】  １  基材シート
２  放射性物質類吸着剤層
３  粘着材層
４  剥離紙
５  貼付下地シート
６  放射性物質除染シート
７  巻き心
８  シートロール
９  被着面
【図１】
0003183309.tif 000003
【図２】
0003183309.tif 000004
【図３】
0003183309.tif 000005
【図４】
0003183309.tif 000006